(57)【特許請求の範囲】
【請求項１】
空気調和機本体に熱交換器、ドレンパンおよびドレンパンにフレキシブルホースを介して接続されたドレンポンプユニットを設け、このドレンポンプユニットを前記空気調和機本体の側板の近傍に配置した天吊型空気調和装置において、
前記ドレンポンプユニットは、ユニット本体と、ドレンポンプと、ドレンポンプの下方に配設された水受け皿とを備え、
前記ドレンポンプは、その上部が防振ゴムを介して前記ユニット本体に固定され、この防振ゴムは、外周部が前記ドレンポンプに固定され、内周部に蛇腹状の溝が形成され、この蛇腹状の溝のランド部には当該内周部を貫通する止め具の外周部が当接する構成を有し、
前記ドレンポンプには、当該天吊型空気調和装置の上方から前記ドレンポンプの側方に突出する外部ドレン配管が接続され、
さらに、前記水受け皿は、前記ユニット本体において前記外部ドレン配管側に配設されたヒンジを介して、開閉自在に取り付けられること、
を特徴とする天吊型空気調和装置。
【発明の詳細な説明】
【０００１】
【発明の属する技術分野】
本発明は、天吊型空気調和装置のドレンポンプユニットの構造に関する。
【０００２】
【従来の技術】
一般に、空気調和機本体に熱交換器、ドレンパンおよびドレンパンにフレキシブルホースを介して接続されたドレンポンプユニットを設け、このドレンポンプユニットを側板の近傍に配置した天吊型空気調和装置は知られている。
【０００３】
【発明が解決しようとする課題】
この種のものでは、第一に、ドレンポンプユニットと外部ドレン配管との接続が困難になるという問題がある。従来では、天吊型空気調和装置の据付位置の近傍に点検口を設け、この点検口から天井裏に入って当該天井裏でドレンポンプユニットと外部ドレン配管とを接続するが、これだと作業が困難になるばかりでなく、余分な点検口が必要になるという問題がある。
【０００４】
第二に、従来の構成では、ドレンポンプユニットを接続した後に、ドレンポンプの試運転を行う場合に、当該ドレンポンプを通じて、空気調和機本体の外部にドレンが確実に排出されるか否かを確認しにくいという問題がある。
【０００５】
第三に、従来の構成では、前記ドレンポンプユニットのユニット本体には防振ゴムを介してドレンポンプが固定されるが、この防振ゴムによる防振効果がそれほど期待できず、振動・騒音の発生を抑制できない問題がある。
【０００６】
そこで、本発明の目的は、ドレン配管の接続作業が容易で、ドレンポンプの試運転時には、当該ドレンポンプを通じて、空気調和機本体の外部にドレンが確実に排出されるか否かを容易に確認でき、かつ防振ゴムによる防振効果を高めることのできる天吊型空気調和装置を提供することにある。
【０００７】
【課題を解決するための手段】
上記目的を達成するために、請求項１記載の発明は、空気調和機本体に熱交換器、ドレンパンおよびドレンパンにフレキシブルホースを介して接続されたドレンポンプユニットを設け、このドレンポンプユニットを前記空気調和機本体の側板の近傍に配置した天吊型空気調和装置において、前記ドレンポンプユニットは、ユニット本体と、ドレンポンプと、ドレンポンプの下方に配設された水受け皿とを備え、前記ドレンポンプは、その上部が防振ゴムを介して前記ユニット本体に固定され、この防振ゴムは、外周部が前記ドレンポンプに固定され、内周部に蛇腹状の溝が形成され、この蛇腹状の溝のランド部には当該内周部を貫通する止め具の外周部が当接する構成を有し、前記ドレンポンプには、当該天吊型空気調和装置の上方から前記ドレンポンプの側方に突出する外部ドレン配管が接続され、さらに、前記水受け皿は、前記ユニット本体において前記外部ドレン配管側に配設されたヒンジを介して、開閉自在に取り付けられることを特徴とするものである。
【０００８】
請求項１記載の発明では、空気調和機本体に対してドレンポンプユニットを吊り下げた状態で仮止めし、空気調和機本体の側板の切欠き部を通じて、ドレンポンプユニットと外部配管とを接続するので、接続作業が容易になる。また、水受け皿を開くことによって、水受け皿内部の清掃およびメンテナンスを簡単に実施することができる。さらに、防振ゴムの内周部に蛇腹状の溝を形成し、この溝のランド部を止め具の外周部に当接させるので、防振効果が高められる。
【００１５】
【発明の実施の形態】
以下、本発明の一実施形態を図面に基づいて説明する。
【００１６】
図１において、符号１は空気調和機本体を示す。この空気調和機本体１は天井から吊り下げられた吊りボルト３に引っかけられて室内天井板５の下面に設置・固定されている。空気調和機本体１には電装箱１１、送風機１３、熱交換器１５、冷媒配管２９等の各種機器類が殆ど隙間なく収納されている。送風機１３は、図２に示すように四台の送風機ユニット２１〜２４からなりこれらは一台のモータ２５で駆動される回転軸２７に固定・配置されている。
【００１７】
熱交換器１５は、図１に示すようにフィン・チューブ型の熱交換器であり、空気調和機本体１内に斜めに設置される。この熱交換器１５には冷媒配管２９が接続され、この冷媒配管２９は空気調和機本体１の外に導出され、室外機（図示せず）の圧縮機、室外熱交換器等に接続される。
【００１８】
この熱交換器１５の下方には、図１に示すように発泡スチロール製のドレンパン３１が設置され、このドレンパン３１の下面には板金製パネル３３が設置される。ドレンパン３１のドレン溜まり３１ａには、図２に示すようにフレキシブルホース３２を介してドレンポンプユニット３５が接続され、このドレンポンプユニット３５に収容されるドレンポンプは、ドレン溜まり３１ａに収集されたドレンを吸い上げて空気調和機本体１の外に排出する。
【００１９】
送風機１３の下方には、図１に示すように樹脂製の吸込グリル３７が開閉可能に設置され、この吸込グリル３７には空気清浄用フィルタ３９が取り付けられる。そして、送風機１３が駆動されると吸込グリル３７およびフィルタ３９を通じて室内の空気が空気調和機本体１内に吸い込まれ、この空気は熱交換器１５で熱交換された後に、吹出口４１を通じて室内に吹き出される。４３は空気調和機本体１の略中央を横断的に仕切る中仕切板である。
【００２０】
この実施形態では、図２に示すドレンポンプユニット３５の構造に特徴を有する。このドレンポンプユニット３５は、図３に示すように、ユニット本体１０１と水受け皿１０２とで構成され、この水受け皿１０２の一端１０２ａはユニット本体１０１にヒンジ（引っかけ部）１０３を介して開閉自在に連結され、他端１０２ｂはビス１０４を介してユニット本体１０１に固定される。これによれば、ビス１０４を外し、この水受け皿１０２を開くことによって、水受け皿１０２内部の清掃、およびメンテナンスを簡単に実施することができる。
【００２１】
このユニット本体１０１には防振ゴム１０５を介してドレンポンプ１０７が固定される。この防振ゴム１０５は、図４に示すように、外周部がドレンポンプ１０７のポンプベース１０７ａに固定され、内周部には蛇腹状の溝１０５ａが形成される。そして、この蛇腹状の溝１０５ａのランド部Ｒには、当該内周部を貫通するスリーブ（止め具）１０９の外周部が当接するように構成される。符号１１１は連結用のボルトである。これによれば、防振ゴム１０５の内周部に蛇腹状の溝１０５ａを形成し、この溝１０５ａのランド部Ｒを、スリーブ１０９の外周部に当接させるので、従来のものに比べて、防振効果が高められる。
【００２２】
また、この実施形態では、図５に示すように、空気調和機本体１の側板１１３に切欠き部１１５が形成され、この切欠き部１１５（特に、ハッチングで示す部分。）を通じて、ドレンポンプユニット３５と外部ドレン配管１１７（図６参照）とを接続できるように、空気調和機本体１に対してドレンポンプユニット３５を吊り下げた状態で仮止めできるように構成される。具体的には、ドレンポンプユニット３５には第一、第二のフック８１，８３が形成され、この第一、第二のフック８１，８３を空気調和機本体１に引っかけることによって仮止めされ（実線）、ドレンポンプユニット３５を空気調和機本体１の所定位置に本止めする場合には、ビス８５を用いて本止めされる（想像線）。
【００２３】
つぎに、図６を参照して、ドレンポンプユニットと外部ドレン配管との接続手順、および冷媒配管の接続手順について説明する。
【００２４】
天井材１２１には、４５０ｍｍ×４５０ｍｍ程度の大きさの角穴１２３を形成し、この角穴１２３を通じて、外部ドレン配管１１７にフレキシブルな付属ドレン配管１２５を接続すると共に、外部冷媒配管１２７に付属冷媒配管１２９を接続し、これを断熱材（図示せず）で保温する。
【００２５】
付属ドレン配管１２５および付属冷媒配管１２９を室内に導入した後、天井材１２１の角穴１２３を断熱材１３０でふさぐ。
【００２６】
ついで、空気調和機本体１のノックアウト孔１３１に、付属ドレン配管１２５および付属冷媒配管１２９を通しながら、当該空気調和機本体１を吊りボルト３で吊り込み（図１）、付属冷媒配管１２９と熱交換器１５から延びる前記冷媒配管２９とを接続し、これを断熱材（図示せず）で保温する。
【００２７】
つぎに、空気調和機本体１に対しドレンポンプユニット３５を吊り下げた状態で仮止めし、この実施形態では、空気調和機本体１の側板１１３の切欠き部１１５（図５にハッチングで示す部分）を通じてドレンポンプユニット３５の配管１３３と付属ドレン配管１２５（外部ドレン配管１１７）とを接続し、その後にドレンポンプユニット３５を空気調和機本体１の所定の位置に固定する。
【００２８】
そして、最後に、ドレンポンプユニット３５の配管１３５とドレンパン３１との間をフレキシブルホース３２（図２参照）を介して接続し、これを断熱材（図示せず）で保温した後に残りの配線接続、配線処理を行う。このフレキシブルホース３２は、例えばドレンポンプ１０７の試運転を行う場合に、ドレンの流れを確認できるように透明材料で形成される。
【００２９】
この実施形態では、空気調和機本体１に対してドレンポンプユニット３５を吊り下げた状態で仮止めし、空気調和機本体１の側板１１３の切欠き部１１５を通じて、ドレンポンプユニット３５の配管１３３と付属ドレン配管１２５とを接続するので、このドレン配管の接続作業を容易に行うことができる。
【００３０】
以上、一実施形態に基づいて本発明を説明したが、本発明はこれに限定されるものではない。例えばドレンポンプユニットの吊下形態は前記形態に限定されず、本発明の趣旨を逸脱しない範囲内で変更は可能である。
【００３１】
【発明の効果】
請求項１記載の発明では、空気調和機本体に対してドレンポンプユニットを吊り下げた状態で仮止めし、空気調和機本体の側板の切欠き部を通じて、ドレンポンプユニットと外部配管とを接続するので、接続作業が容易になる。また、水受け皿を開くことによって、水受け皿内部の清掃およびメンテナンスを簡単に実施することができる。さらに、防振ゴムの内周部に蛇腹状の溝を形成し、この溝のランド部を止め具の外周部に当接させるので、防振効果が高められる。
【図面の簡単な説明】
【図１】本発明による空気調和装置の一実施形態を示す側面断面図である。
【図２】同じく内部構造を示す平面図である。
【図３】ドレンポンプユニットを示す断面図である。
【図４】防振ゴムを示す断面図である。
【図５】ドレンポンプユニットを側板に仮止めした状態を示す図である。
【図６】ドレン配管の接続手順を説明する図である。
【符号の説明】
１  空気調和機本体
１１  電装箱
１３  送風機
１５  熱交換器
３５  ドレンポンプユニット
１０１  ユニット本体
１０２  水受け皿
１０３  ヒンジ（引っかけ部）
１０５  防振ゴム
１０５ａ  蛇腹状の溝
１０７  ドレンポンプ
１０９  スリーブ（止め具）
１１３  側板
１１５  切欠き部
１１７  外部ドレン配管
【図１】
0003670820.tif 000002
【図２】
0003670820.tif 000003
【図３】
0003670820.tif 000004
【図４】
0003670820.tif 000005
【図５】
0003670820.tif 000006
【図６】
0003670820.tif 000007